(57)【要約】 【課題】  電動機の出力トルクがトルク指令通りとなるように電流振幅指令を生成する。【解決手段】  実施形態によるインバータ制御装置は、インバータ主回路と、前記インバータ主回路から出力される電流応答を検出する電流検出器と、前記インバータ主回路に接続した電動機の回転位相角を用いて、前記電流応答をｄ軸電流とｑ軸電流とに変換するベクトル変換器と、トルク指令と電流位相角指令とに基づいて、前記インバータ主回路から出力される前記電流応答の電流振幅指令を算出する電流振幅指令算出部と、前記電流振幅指令と前記電流位相角指令とから、ｄ軸電流指令とｑ軸電流指令とを算出するｄｑ軸変換部と、前記ｄ軸電流指令およびｑ軸電流指令と前記ｄ軸電流およびｑ軸電流とが等しくなるような電圧指令を算出する電流制御器と、を備える。【選択図】図２
2018042324.tif 000002
【特許請求の範囲】
【請求項１】
インバータ主回路と、
前記インバータ主回路から出力される電流応答を検出する電流検出器と、
前記インバータ主回路に接続した電動機の回転位相角を用いて、前記電流応答をｄ軸電流とｑ軸電流とに変換するベクトル変換器と、
トルク指令と電流位相角指令とに基づいて、前記インバータ主回路から出力される前記電流応答の電流振幅指令を算出する電流振幅指令算出部と、
前記電流振幅指令と前記電流位相角指令とから、ｄ軸電流指令とｑ軸電流指令とを算出するｄｑ軸変換部と、
前記ｄ軸電流指令およびｑ軸電流指令と前記ｄ軸電流およびｑ軸電流とが等しくなるような電圧指令を算出する電流制御器と、を備えたことを特徴とするインバータ制御装置。
【請求項２】
前記電動機の回転速度と外部から供給される回転速度指令とが等しくなるような前記電動機のトルク指令を算出する速度制御器をさらに備えたことを特徴とする請求項１記載のインバータ制御装置。
【請求項３】
前記電流振幅指令に基づいて、前記インバータ主回路から出力される前記電流応答の前記電流位相角指令を算出する電流位相角指令算出部をさらに備えたことを特徴とする請求項１記載のインバータ制御装置。
【請求項４】
前記電圧指令が出力電圧最大値を超えないような前記電流位相角指令を算出する電流位相角指令値算出部を備えたことを特徴とする、請求項１又は請求項２記載のインバータ制御装置。
【請求項５】
前記電流振幅指令から算出する第１電流位相角指令を算出する第１電流位相角指令算出部と、
前記電圧指令が出力電圧目標値を超えないように第２電流位相角指令を算出する第２電流位相角指令算出部と、
前記第１電流位相角指令と第２電流位相角指令とを加算して前記電流位相角指令を算出する加算器と、をさらに備えたことを特徴とする請求項１記載のインバータ制御装置。
【請求項６】
電流位相角最大値を超えないトルク指令最大値を算出するトルクリミット算出部と、
前記トルク指令が前記トルク指令最大値を超えないように制限するトルク制限部と、をさらに備えたことを特徴とする請求項３又は請求項４のいずれか１項記載のインバータ制御装置。
【請求項７】
請求項１乃至請求項６のいずれか１項記載のインバータ制御装置と、
前記インバータ主回路に接続された前記電動機と、を備えたことを特徴とする電動機駆動システム。
【請求項８】
前記電動機はシンクロナスリラクタンスモータであることを特徴とする請求項７記載の電動機駆動システム。
【発明の詳細な説明】
【技術分野】
【０００１】
本発明の実施形態は、インバータ制御装置および電動機駆動システムに関する。
【背景技術】
【０００２】
磁石磁束が小さい同期電動機として、例えばシンクロナスリラクタンスモータ（ＳｙｎＲＭ）を駆動するインバータを制御するインバータ制御装置が提案されている。シンクロナスリラクタンスモータは、永久磁石を用いない同期電動機であって、ｄ軸方向（磁束の流れやすい方向）のインダクタンスとｑ軸方向（磁束が流れにくい方向）のインダクタンスとの差によりリラクタンストルクが発生し、回転子が回転する同期電動機である。
【０００３】
シンクロナスリラクタンスモータを制御するインバータ制御装置において、電流振幅指令から電流位相角を演算する方法や、トルク指令から電流振幅指令と電流位相角を一次関数または二次関数で算出する方式などが提案されている。
一方、速度指令に応じてｄｑ軸電流指令に係数を掛けてトルク指令を生成する速度制御が提案されている。
【先行技術文献】
【特許文献】
【０００４】
【特許文献１】特開２０１３−２２３３３３号公報
【特許文献２】特開２００２−３６００００号公報
【特許文献３】特開２０１０−８１７４３号公報
【発明の概要】
【発明が解決しようとする課題】
【０００５】
しかしながら、磁石磁束が小さい同期電動機を駆動するインバータについて、上述のように演算式やマップを用いる方法では、トルク指令に対応する電流振幅指令を正確に算出することが困難であり、電動機の出力トルクがトルク指令通りにならないことがあった。
【０００６】
本発明の実施形態は、上記事情を鑑みて成されたものであって、電動機の出力トルクがトルク指令通りとなるように電流振幅指令を生成するインバータ制御装置および電動機駆動システムを提供することを目的とする。
【課題を解決するための手段】
【０００７】
実施形態によるインバータ制御装置は、インバータ主回路と、前記インバータ主回路から出力される電流応答を検出する電流検出器と、前記インバータ主回路に接続した電動機の回転位相角を用いて、前記電流応答をｄ軸電流とｑ軸電流とに変換するベクトル変換器と、トルク指令と電流位相角指令とに基づいて、前記インバータ主回路から出力される前記電流応答の電流振幅指令を算出する電流振幅指令算出部と、前記電流振幅指令と前記電流位相角指令とから、ｄ軸電流指令とｑ軸電流指令とを算出するｄｑ軸変換部と、前記ｄ軸電流指令およびｑ軸電流指令と前記ｄ軸電流およびｑ軸電流とが等しくなるような電圧指令を算出する電流制御器と、を備える。
【図面の簡単な説明】
【０００８】
【図１】図１は、第１実施形態のインバータ制御装置および電動機駆動システムの構成例を概略的に示すブロック図である。
【図２】図２は、図１に示すインバータ制御装置および電動機駆動システムの電流指令生成部の構成例を概略的に示すブロック図である。
【図３】図３は、第２実施形態のインバータ制御装置および電動機駆動システムの構成例を概略的に示すブロック図である。
【図４】図４は、図３に示す弱め磁束制御器の一構成例を概略的に示すブロック図である。
【図５】図５は、図３に示す電流指令生成部の一構成例を概略的に示すブロック図である。
【図６】図６は、電動機の出力電圧が制限されているときの、等電圧曲線と等トルク曲線との例を示す図である。
【発明を実施するための形態】
【０００９】
以下、第１実施形態のインバータ制御装置および電動機駆動システムについて、図面を参照して説明する。
図１は、第１実施形態のインバータ制御装置および電動機駆動システムの構成例を概略的に示すブロック図である。
【００１０】
本実施形態の電動機駆動システムは、電動機２と、インバータ制御装置と、を備えている。インバータ制御装置は、インバータ１と、電流検出器３と、回転位相角検出器４と、ＰＷＭ変調部２２と、座標変換部２３、２４と、電流制御器２５と、回転速度算出部２６と、速度制御器２７と、電流指令生成部２９と、を備えている。
【００１１】
インバータ１は、図示しないインバータ主回路と、直流電源とを備えている。インバータ１は、インバータ制御装置から出力されたゲート指令を入力とし、ゲート指令によりインバータ主回路に内蔵される複数のスイッチング素子を切替えて、直流電流と交流電流とを相互に変換可能な三相交流インバータである。インバータ１から出力された交流電流は、電動機２に供給される。
また、インバータ１は、インバータ主回路と直流電源とを接続する直流リンクの電圧Ｖを検出する電圧検出器（図示せず）を備えている。電圧検出器で検出された電圧Ｖの値は、ＰＷＭ変調部２２へ供給される。
【００１２】
電動機２は、インバータ１から供給される交流電流により駆動される、磁石磁束が小さい同期電動機であって、例えばシンクロナスリラクタンスモータ（ＳｙｎＲＭ）である。電動機２は、各励磁相に流れる三相交流電流によって発生する磁界により、回転子との磁気的相互作用によりトルクを発生する。
【００１３】
電流検出器３は、インバータ１と電動機２との間に流れる三相交流電流ｉｕ、ｉｖ、ｉｗのうち少なくとも二相の電流値を検出する。
回転位相角検出器４は、例えばレゾルバであって、電動機２の回転位相角θを検出する。なお、回転位相角検出器４は、例えば、センサを用いずに、電流検出器３で検出された電流検出値や、インバータ１の出力電圧を検出した電圧検出値から回転位相角推定値を演算する構成であってもよい。その場合には、回転位相角の推定値を回転位相角θとして出力してもよい。
【００１４】
座標変換部２３は、回転位相角検出器４から供給された回転位相角θを用いて、三相固定座標系の電流応答ｉｕ、ｉｗをｄｑ軸回転座標系の電流応答ｉｄ、ｉｑに変換するベクトル変換器である。なお、ｄ軸とは回転子の磁気抵抗が最大（インダクタンスが最小）となる方向とし、ｑ軸とはｄ軸から電気角で９０度進んだ回転子の磁気抵抗が最小（インダクタンスが最大）となる方向とする。
【００１５】
回転速度算出部２６は、回転位相角検出器４から回転位相角θを受信し、例えば、回転位相角θを時間微分して回転速度ωを算出して出力する。
速度制御器２７は、例えばＰＩ制御器であって、外部から供給される回転速度指令ω＊と、回転速度算出部２６から供給される回転速度ωとが等しくなるように、トルク指令Ｔ＊を算出して出力する。
電流指令生成部２９は、回転速度算出部２６から供給された回転速度ωと、座標変換部２３から供給されたｑ軸電流ｉｑと、速度制御器２７から供給されたトルク指令Ｔ＊とからｄ軸電流指令ｉｄ＊とｑ軸電流指令ｉｑ＊とを算出して出力する。電流指令生成部２９の構成については、後に詳細に説明する。
【００１６】
電流制御器２５は、例えばＰＩ制御器であって、電流応答ｉｄ、ｉｑと電流指令ｉｄ＊、ｉｑ＊とを比較し、電流応答ｉｄ、ｉｑと電流指令ｉｄ＊、ｉｑ＊とが等しくなるように、ｄ軸電圧指令ｖｄ＊と、ｑ軸電圧指令ｖｑ＊とを演算して出力する。
座標変換部２４は、回転位相角θを用いて、ｄｑ回転座標系の電圧指令ｖｄ＊、ｖｑ＊を、三相固定座標系の電圧指令ｖｕ＊、ｖｖ＊、ｖｗ＊に変換するベクトル変換器である。
【００１７】
ＰＷＭ変調部２２は、電動機２を駆動するための電圧指令（変調率指令）ｖｕ＊、ｖｖ＊、ｖｗ＊を、インバータ１から供給された電圧Ｖに応じて、三角波ＰＷＭによって変調し、インバータ１のインバータ主回路に含まれる各相スイッチング素子を切替えるゲート信号を、インバータ１へ出力する。
【００１８】
図２は、図１に示すインバータ制御装置および電動機駆動システムの電流指令生成部の構成例を概略的に示すブロック図である。
電流指令生成部２９は、電流振幅指令算出部３２と、電流位相角算出部（第１電流位相角指令算出部）３３と、符号換算部３４と、ｄｑ軸変換部３５と、を備えている。
【００１９】
電流振幅指令算出部３２は、インダクタンスＬｄ、Ｌｑと、トルク制限後のトルク指令Ｔ２＊と、電流位相角指令β＊とから電流振幅指令Ｉ＊を算出する。インダクタンスＬｄ、Ｌｑは、例えば、図示しないメモリに記録された定数である。なおｑ軸インダクタンスＬｑについて、電流振幅指令算出部３２は、ｑ軸電流ｉｑに対応するｑ軸インダクタンスＬｑの値を格納したテーブルを用いて、ｑ軸インダクタンスＬｑの値を算出してもよい。電動機２がシンクロナスリラクタンスモータであるとき、電流位相角β＊とトルク指令Ｔ＊とから電流振幅指令Ｉ＊は下記数式（１）を用いて求めることができる。
【００２０】
トルク指令Ｔ＊は、次式で求めることができる。
【数１】
2018042324.tif 000003
この式を電流位相角β＊を用いて変形すると次式となる。
【数２】
2018042324.tif 000004
この式はさらに次式のように変形することができる。
【数３】
2018042324.tif 000005
この式を電流振幅指令Ｉ＊について解くと下記数式（１）が得られる。
【数４】
2018042324.tif 000006
【００２１】
電流位相角算出部３３は、電流振幅から銅損最小となる電流位相角β０を算出して出力する。電流位相角算出部３３は、電流振幅指令Ｉ＊と電流位相角β０との関係を表す近似式により、電流位相角β０を演算してもよく、電流振幅指令Ｉ＊に対する電流位相角β０の値を格納したマップを有していてもよい。ここでは、銅損最小としたが、損失最小あるいは力率最大としても良い。
【００２２】
符号換算部３４は、トルク指令Ｔ＊がゼロ以上であるか負であるかを判断する。トルク指令Ｔ＊がゼロ以上のときには、符号換算部３４は、電流位相角β０の符号を正として電流位相角指令β＊として出力する。トルク指令Ｔ＊が負であるときには、符号換算部３４は、電流位相角β０の符号を負として電流位相角指令（第１電流位相角指令）β＊として出力する。
なお、本実施形態において、電流位相角算出部３３および符号換算部３４は、電流振幅指令Ｉ＊に基づいて、インバータ主回路から出力される電流応答の電流位相角指令β＊を算出する電流位相角指令算出部である。
【００２３】
ｄｑ軸変換部３５は、電流振幅指令Ｉ＊と電流位相角指令β＊とから、下記数式（３）、数式（４）に従って、電流指令ｉｄ＊、ｉｑ＊を算出する。電流指令ｉｄ＊、ｉｑ＊は、上述した電流制御器２５へ供給される。
【数５】
2018042324.tif 000007
【００２４】
なお、上記数式（２）では、電流振幅指令Ｉ＊は現在値（Ｎ）であり、電流位相角β＊は前回値（Ｎ−１）であるが、これに限定されるものではなく、電流振幅指令算出部３２は、電流振幅指令Ｉ＊と電流位相角β＊との一方を現在値（Ｎ）とし、他方を前回値（Ｎ−１）として演算可能である。  例えば、電流振幅指令Ｉ＊の前回値（Ｎ−１）を用いて電流位相角β＊の現在値（Ｎ）を算出し、電流振幅指令Ｉ＊の前回値（Ｎ―１）と電流位相角β＊の現在値（Ｎ）とを用いて上記数式（３）、（４）により電流指令ｉｄ＊、ｉｑ＊を算出してもよい。
【００２５】
ここで、電流振幅指令Ｉ＊と電流位相角β＊との所定期間での変化量を比較し、変化量が大きい方について現在値（Ｎ）を用い、変化量が小さい方について前回値（Ｎ−１）を用いることとすると、より正確な電流指令ｉｄ＊、ｉｑ＊を算出することができる。
本実施形態のインバータ制御装置および電動機駆動システムでは、上記数式（１）および数式（２）を用いて電流振幅指令Ｉ＊を演算することにより、トルク指令通りの電流指令値を生成できる。
【００２６】
ここで、電流振幅指令から電流位相角指令を算出するなど、運転状態によって電流位相角指令が変化するときには、電流位相角が変化することによってトルクが変わるため、トルク指令通りの出力トルクが実現されないことがあった。例えば、速度制御を行っている場合には、電流位相角を変化させる制御と速度制御が干渉するため、トルク指令と実際に出力されるトルクとを等しくすることが困難であった。
【００２７】
本実施形態では、上記のように電流振幅指令Ｉ＊を算出することにより、銅損最小制御によって電流位相角βが変化しても電流指令ｉｄ＊、ｉｑ＊を一意に算出することができた。すなわち、モータパラメータを正しく調整できていれば、電流振幅指令算出部３２は電流位相角βによらず、トルク指令Ｔ２＊に対応した電流振幅Ｉ＊を出力することができる。したがって、電流指令生成部２９は、電流位相角算出部３３によって銅損最小となる電流位相角β０としても、トルク指令Ｔ２＊に対応した電流指令ｉｄ＊、ｉｑ＊を算出することができ、トルク指令Ｔ２＊通りの出力トルクを実現することができる。
【００２８】
さらに、速度制御を用いた場合、電流振幅指令算出部３２で電流位相角指令β＊によってトルク指令Ｔ２＊通りのトルクを出すことができるため、電流位相角算出部３３によって電流位相角β＊を電流位相角β０へ変更する制御と速度制御とが干渉し、制御系が振動・発散するのを防ぐことができる。
すなわち、本実施形態のインバータ制御装置および電動機駆動システムによれば、電動機の出力トルクがトルク指令通りとなるように電流振幅指令を生成することができる。
【００２９】
次に、第２実施形態のインバータ制御装置および電動機駆動システムについて図面を参照して説明する。なお、以下の説明において、上述の第１実施形態と同様の構成については、同一の符号を付して説明を省略する。
【００３０】
図３は、第２実施形態のインバータ制御装置および電動機駆動システムの構成例を概略的に示すブロック図である。
本実施形態のインバータ制御装置は、弱め磁束制御器（第２電流位相角指令算出部）２８をさらに備えている。
弱め磁束制御器２８は、電圧指令が出力電圧最大値（＝電圧制限値Ｖｌｉｍ）を超えないように弱め磁束電流位相角βＦＷを算出して出力する。弱め磁束制御器２８は、電流制御器２５から出力された電圧指令ｖｄ＊、ｖｑ＊から弱め電流位相角指令（第２電流位相角指令）βＦＷを算出して出力する。
なお、本実施形態において、電流位相角算出部３３は、電流振幅指令Ｉ＊に基づいて、第１電流位相角指令β０を算出する第１電流位相角指令算出部である。
【００３１】
図４は、図３に示す弱め磁束制御器の一構成例を概略的に示すブロック図である。
弱め磁束制御器２８は、電圧振幅指令算出部４１と、減算器４２と、除算器４３と、ＰＩ制御器４４と、リミット制御器４５と、を備えている。
【００３２】
電圧振幅指令算出部４１は、下記数式（５）を用いて、電圧指令ｖｄ＊、ｖｑ＊と、電圧振幅指令Ｖ＊とを算出して出力する。
【数６】
2018042324.tif 000008
【００３３】
減算器４２は、電圧振幅指令算出部４１から出力された電圧振幅指令Ｖ＊から、電圧制限値Ｖｌｉｍを減算し電圧偏差ΔＶ（＝Ｖ＊−Ｖｌｉｍ）を算出する。
除算器４３は、電圧偏差ΔＶを電圧制限値Ｖｌｉｍで除算して、ＰＩ制御器４４の入力Ｕ（＝ΔＶ／Ｖｌｉｍ＝（Ｖ＊−Ｖｌｉｍ）／Ｖｌｉｍ）を算出して出力する。
【００３４】
なお、電圧制限値Ｖｌｉｍは、電圧制限値演算部４６にて、インバータ１から供給された直流電圧Ｖを用いて、例えば、下記数式（６）で計算され、減算器４２および除算器４３にて演算に用いられる。
【数７】
2018042324.tif 000009
ここで、Ｖはインバータ主回路と直流電源との間の直流リンク電圧（直流電圧）Ｖ、ａは変調率係数である。ａは予め設定した値で、例えば、メモリ（図示せず）に記録され、一般的には１〜１．０５程度に設定される。
ここでは、インバータ直流電圧Ｖを用いて演算したが、直流電圧Ｖを用いずに予め設定した値を用いても良い。
【００３５】
ＰＩ制御器４４は、除算器４３から供給された入力Ｕがゼロとなるように、比例項Ｐと積分項Ｉにより出力Ｙを算出して出力する。
リミット制御器４５は、ＰＩ制御器４４から供給される入力Ｙがゼロ以上か、ゼロ未満かを判断する。リミット制御器４５は、入力Ｙがゼロ未満のときには、弱め磁束電流位相角βＦＷをゼロとして出力する。入力Ｙがゼロ以上のときには、弱め磁束電流位相角βＦＷを入力Ｙと等しい値として出力する。
【００３６】
リミット制御器４５は、弱め磁束電流位相角βＦＷをゼロにリミットしたときには、ＰＩ制御器４４の積分項Ｉと比例項Ｐとが等しくなるように積分項（Ｉ＝Ｌｉｍ−Ｐ）をセットする（アンチワインドアップ）。
【００３７】
図５は、図３に示す電流指令生成部の一構成例を概略的に示すブロック図である。
本実施形態のインバータ制御装置の電流指令生成部２９は、トルクリミット算出部３０と、トルク制限部３１と、加算器３６をさらに備えている。また、インバータ１から供給された電圧Ｖが入力として追加されている。
トルクリミット算出部３０は、電動機２の回転速度ωと、インバータ主回路と直流電源との間の直流リンク電圧（直流電圧）Ｖと、ｑ軸電圧ｉｑとから、トルクリミット（トルク指令最大値）Ｔｌｉｍを演算して出力する。
【００３８】
図６は、電動機の出力電圧が制限されているときの、等電圧曲線と等トルク曲線との例を示す図である。
電動機２の出力電圧が制限されるときには、例えば、図３に示した等電圧曲線６２と等トルク曲線６３との交点ＡＢのうち、Ａ点にてインバータ１が動作する。この状態から、回転速度が上昇したときの等電圧曲線６２´は、ｄ軸電流とｑ軸電流とが等電圧曲線６２よりも小さくなる。このときに、等電圧曲線６２´と等トルク曲線６３とは交点Ａ´Ｂ´にて交差し、等電圧曲線６２´と等トルク曲線６３とに囲まれる領域は狭くなる。さらに回転速度が上昇すると、等電圧曲線６２´と等トルク曲線６３とは交差しなくなる。すなわち、電動機２の出力電圧が制限されているときに、ある回転速度を実現する電流指令ｉｄ＊、ｉｑ＊が存在しないこととなる。
【００３９】
また、等トルク曲線６３よりもトルク指令Ｔ＊が大きくなったときの等トルク曲線６３´では、等トルク曲線６３よりもｄ軸電流とｑ軸電流とが大きくなる。このときに、等トルク曲線６３´と等電圧曲線６２とは交点Ａ´´Ｂ´´で交差し、等電圧曲線６２と等トルク曲線６３´とに囲まれる領域は狭くなる。さらにトルク指令Ｔ＊が大きくなると、等トルク曲線６３´と等電圧曲線６２とは交差しなくなる。すなわち、電動機２の出力電圧が制限されているときに、要求されるトルク指令Ｔ＊を満たす電流指令ｉｄ＊、ｉｑ＊が存在しないこととなる。
【００４０】
そこで、本実施形態では、トルクリミット算出部３０は、電流位相角βが電流位相角リミット（電流位相角最大値）βｌｉｍ以上にならないようにトルクリミットＴｌｉｍを算出し、電流指令ｉｄ＊、ｉｑ＊が存在しない状況を回避している。具体的には、トルクリミット算出部３０は、下記数式（１）を用いてトルク制限を行う。
【００４１】
高速域において、抵抗分を無視すると、出力電圧は次式で示される。
【数８】
2018042324.tif 000010
一方、トルクは次式で示される。
【数９】
2018042324.tif 000011
これらよりトルクについて解くと次式となる。
【数１０】
2018042324.tif 000012
【００４２】
この式の電流位相角βを電流位相角リミットβｌｉｍとし、出力電圧Ｖを電圧制限値Ｖｌｉｍとすると、下記数式（７）が得られる。
【数１１】
2018042324.tif 000013
ここで、ｐは電動機２の極対数、Ｌｄはｄ軸インダクタンス、Ｌｑはｑ軸インダクタンス、Ｖｌｉｍはインバータ１の出力電圧の制限値、ωは電動機２の回転速度をそれぞれ表す。
【００４３】
なお、トルクリミット算出部３０は、例えば、ｑ軸電流ｉｑに対応するｑ軸インダクタンスＬｑの値を格納したテーブルを用いて、下記数式（１）の演算に用いるｑ軸インダクタンスＬｑの値を算出してもよい。またＶｌｉｍは数式（Ａ）で演算しても良いし、弱め磁束制御器２８で演算した値を利用してもよい。
また、電流位相角リミットβｌｉｍの値は、予めメモリ（図示せず）に記録され、トルクリミット算出部３０にて演算に用いられる。
【００４４】
トルク制限部３１は、トルクリミット算出部３０からトルクリミットＴｌｉｍを受信し、トルク指令Ｔ＊がトルクリミットＴｌｉｍ以上にならないように抑制する。すなわち、トルク制限部３１は、入力されたトルクＴ＊とトルクリミットＴｌｉｍとを比較し、トルク指令Ｔ＊がトルクリミットＴｌｉｍよりも大きいときに、トルク指令Ｔ２＊をトルクリミットＴｌｉｍと等しい値として出力する。トルク制限部３１は、トルク指令Ｔ＊がトルクリミットＴｌｉｍ以下のときには、トルク指令Ｔ２＊をトルク指令Ｔ＊と等しい値として出力する。
【００４５】
加算器３６は、電流位相角算出部３３の後段であって符号換算部３４の前段に配置され、銅損最小となる電流位相角β０と、弱め磁束制御器２８から出力された弱め磁束電流位相角βＦＷとを加算して出力する。
【００４６】
本実施形態のインバータ制御装置および電動機駆動システムは、上記の構成以外は上述の第１実施形態と同様であって、上述の第１実施形態と同様の効果を得ることができる。
また、電流振幅指令算出部３２は電流位相角β＊によらず、トルク指令Ｔ２＊に対応した電流振幅Ｉ＊を出力することができる。したがって、弱め磁束制御器２８から出力される弱め磁束電流位相角βＦＷによって電流位相角βを変更したとしても、トルク指令Ｔ２＊通りのトルクを出すことが可能となる。
【００４７】
さらに、速度制御を用いた場合、電流振幅指令算出部３２で電流位相角β＊によってトルク指令Ｔ２＊通りのトルクを出すことができるため、弱め磁束制御器２８によって電流位相角β＊を変更する制御と速度制御が干渉し、制御系が振動・発散するのを防ぐことができる。
【００４８】
上記のように、本実施形態によれば、銅損最小制御・最大効率制御・弱め磁束制御等の電流位相角を変更する制御と速度制御とが干渉することを回避したインバータ制御装置および電動機駆動システムを提供することができる。
なお、第２実施形態では、電流位相角算出部３３は電流に応じてβ０を変更する代わりに、β０を一定値としても弱め磁束制御の電流位相角を変更する制御と速度制御とが干渉することを回避することができる。
【００４９】
また、前述の通り、トルク制限部３１により電流位相角がβｌｉｍ以上にならないようにトルク制限を掛けることで、ある速度・直流電圧制限において、要求されるトルク指令を満たす電流指令が存在しないことで制御が発散するのを抑制することが出来る。電流位相角に制限を加えると、弱め磁束制御系が正しく動作せず、過電圧になってしまうのに対して、トルク制限する際に合わせて電流位相角による制限を加えることで、一般的なストール防止動作と同様に速度を下げてストールを防止することが出来る。
【００５０】
すなわち、本実施形態のインバータ制御装置および電動機駆動システムによれば、電動機の出力トルクがトルク指令通りとなるように電流振幅指令を生成することができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５２】
例えば、上述の第１実施形態および第２実施形態では、電流位相角算出部３３は、電流振幅から銅損最小となる電流位相角β０を算出したが、これに限定されるものではない。電流位相角算出部３３は、銅損最小となる電流位相角β０に代えて、銅損に鉄損を加算した全損失最小となる電流位相角β０を算出して出力してもよい。この場合であっても、上述の第１実施形態および第２実施形態と同様の効果が得られる。
【００５３】
また、上述の第１実施形態および第２実施形態では、電動機２としてシンクロナスリラクタンスモータを採用する例について説明したが、シンクロナスリラクタンスモータに限らず、磁石磁束が小さい永久磁石同期電動機を電動機２として採用した場合でも、上述の第１実施形態および第２実施形態と同様の効果が得られる。
【００５４】
上述の第１実施形態および第２実施形態において、インバータ制御装置は、ハードウエアにより構成されてもよく、ソフトウエアにより構成されてもよく、ハードウエアとソフトウエアとを組み合わせて構成されてもよい。例えば、インバータ制御装置は１又は複数のプロセッサと、メモリと、を含み、各構成にて実行される演算をソフトウエアにて実現してもよい。いずれの場合であっても、上述の第１実施形態および第２実施形態と同様の効果を得ることができる。
【符号の説明】
【００５５】
１…インバータ、２…電動機、３…電流検出器、４…回転位相角検出器、２２…ＰＷＭ変調部、２３…座標変換部（ＵＶＷ／ｄｑ）、２４…座標変換部（ｄｑ／ＵＶＷ）、２５…電流制御器、２６…回転速度算出部、２７…速度制御器、２８…弱め磁束制御器、２９…電流指令生成部、３０…トルクリミット算出部、３１…トルク制限部、３２…電流振幅指令算出部、３３…電流位相角算出部、３４…符号換算部、３５…ｄｑ軸変換部、３６…加算器、４１…電圧振幅指令算出部、４２…減算器、４３…除算器、４４…ＰＩ制御器、４５…リミット制御器、６２、６２´…等電圧曲線、６３、６３´…等トルク曲線。
【図１】
2018042324.tif 000014
【図２】
2018042324.tif 000015
【図３】
2018042324.tif 000016
【図４】
2018042324.tif 000017
【図５】
2018042324.tif 000018
【図６】
2018042324.tif 000019